(57)【要約】      （修正有）【課題】必要のない差込口及びＵＳＢ差込口に接続されている待機状態の電気機器に無駄な電力が流れることがなく、また、安全面の考慮もされた個別スイッチ付ユニバーサルシリアルバス対応テーブルタップを提供する。【解決手段】該テーブルタップは、ケース１０、差込口２０、スイッチ３０、ＵＳＢ差込口４０及びＵＳＢ用スイッチ５０を備える。ケース１０上にはコンセント１１、差込口２０、スイッチ３０が設置される。差込口２０はスイッチ３０を経由してコンセント１１と電気的に接続される。ＵＳＢ差込口４０及びＵＳＢ用スイッチ５０も同様にケース１０上に設置され、ＵＳＢ用スイッチ５０の一端はコンセント１１と電気的に接続され、他端は変換部を経由してＵＳＢ差込口４０に電気的に接続される。すなわち、スイッチ及びＵＳＢ用スイッチを個別に設置することで、差込口及びＵＳＢ差込口の電源のオンオフを独立して行う。【選択図】図１
0003166580.tif 000002
【実用新案登録請求の範囲】
【請求項１】
個別スイッチ付ユニバーサルシリアルバス対応テーブルタップであって、
コンセント１１に接続されるケース１０と、
前記ケース１０上に設置される少なくとも１つの差込口２０と、
前記ケース１０上に設置されるスイッチ３０と、
前記ケース１０上に設置される少なくとも１つのＵＳＢ差込口４０と、
前記ケース１０上に設置されるＵＳＢ用スイッチ５０と、
を備え、
前記差込口２０は、前記スイッチ３０を経由して前記コンセント１１と電気的に接続され、
前記ＵＳＢ用スイッチ５０の一端は、変換部６０を経由して前記ＵＳＢ差込口４０と電気的に接続され、
前記ＵＳＢ用スイッチ５０の他端は、前記コンセント１１と電気的に接続される
ことを特徴とする個別スイッチ付ユニバーサルシリアルバス対応テーブルタップ。
【請求項２】
更に前記ケース１０上に設置される安全装置７０を備え、
前記スイッチ３０及び前記ＵＳＢ用スイッチ５０は、前記安全装置７０を経由して前記コンセント１１と電気的に接続される
ことを特徴とする、請求項１に記載の個別スイッチ付ユニバーサルシリアルバス対応テーブルタップ。
【請求項３】
前記スイッチ３０は、前記スイッチ３０の状態を表示する第一ランプ３１を備える
ことを特徴とする、請求項１に記載の個別スイッチ付ユニバーサルシリアルバス対応テーブルタップ。
【請求項４】
前記ＵＳＢ用スイッチ５０は、前記ＵＳＢ用スイッチ５０の状態を表示する第二ランプ５１を備える
ことを特徴とする、請求項１に記載の個別スイッチ付ユニバーサルシリアルバス対応テーブルタップ。
【請求項５】
前記差込口２０は複数個あり、複数の前記差込口２０のそれぞれの間には、アダプターを接続するのに足りる間隔が確保されている
ことを特徴とする、請求項１に記載の個別スイッチ付ユニバーサルシリアルバス対応テーブルタップ。
【請求項６】
前記差込口２０上に第一カバー２１及び第一ラッチ２１１を備える
ことを特徴とする、請求項１に記載の個別スイッチ付ユニバーサルシリアルバス対応テーブルタップ。
【請求項７】
前記ＵＳＢ差込口４０上に第二カバー４１及び第二ラッチ４１１を備える
ことを特徴とする、請求項１に記載の個別スイッチ付ユニバーサルシリアルバス対応テーブルタップ。
【請求項８】
前記コンセント１１は、前記ケース１０に枢動可能に設けられ、又は延長線８０を経由して前記ケース１０に接続される
ことを特徴とする、請求項１に記載の個別スイッチ付ユニバーサルシリアルバス対応テーブルタップ。
【考案の詳細な説明】
【技術分野】
【０００１】
本考案は、テーブルタップ、より詳しくは、個別スイッチ付ユニバーサルシリアルバス対応テーブルタップに関する。
【背景技術】
【０００２】
科学技術の発達により、電子機器の種類は多様化し、そのほとんどにパソコンと接続するためのユニバーサルシリアルバス（以下、ＵＳＢ）インターフェースが備え付けられている。使用者はパソコンと接続することで、電子機器上にあるデータを保存或いは編集したり、パソコン上にあるＵＳＢ差込口と接続することで、充電を行うことができる。そしてＵＳＢ差込口を充電目的でのみ使う使用者のために、ＵＳＢ差込口を備えたテーブルタップも見られるようになってきた。使用者はＵＳＢ差込口を備えたテーブルタップを利用することで電子機器の充電を行うことができ、パソコンを起動する面倒がない。
【考案の概要】
【考案が解決しようとする課題】
【０００３】
しかし、従来のＵＳＢ用テーブルタップは通常のコンセント差込口及びＵＳＢ差込口のスイッチが共通しており、使用者が通常の差込口だけを使用する場合、及びＵＳＢ差込口だけを使用する場合のいずれの場合にも、共通のスイッチをオンにしなければならず、個別にオンオフを切り替えることができない。そのため、使われていない差込口の電源も一斉にオンになることにより、接続されている待機状態の電気機器にも無駄な電力が流れ、長期的にみると無駄な出費にもなり得る。更に、使われていない差込口がオンになることで安全面にも不安が見える。
【０００４】
本考案は、従来の共通スイッチを備えるＵＳＢ対応テーブルタップの電力浪費問題の解決を目的とする。
【課題を解決するための手段】
【０００５】
上述の目的を達成するために、本考案は、個別スイッチ付ユニバーサルシリアルバス対応テーブルタップを提供する。本考案のテーブルタップは、ケース、少なくとも１つの差込口、スイッチ、少なくとも１つのＵＳＢ差込口及びＵＳＢ用スイッチを備える。前記ケースはコンセントを備え、前記差込口及び前記スイッチは前記ケース上に設置される。前記差込口は前記スイッチを経由して前記コンセントと電気的に接続され、前記スイッチは前記差込口の電流のオンオフを制御する。前記ＵＳＢ差込口及び前記ＵＳＢ用スイッチも同様にケース上に設置される。前記ＵＳＢ用スイッチの一端は、交流電源を直流電源に変換する変換部を経由して前記ＵＳＢ用差込口と電気的に接続することで、前記ＵＳＢ差込口に直流電源を供給する。前記ＵＳＢ用スイッチの他端は前記コンセントと電気的に接続され、前記ＵＳＢ用スイッチは前記ＵＳＢ差込口の電流のオンオフを制御する。
【考案の効果】
【０００６】
上述の技術的内容から、本考案は以下のメリットがある。
【０００７】
スイッチ及びＵＳＢ用スイッチを個別に設置することで、差込口及びＵＳＢ差込口の電源を個別に制御することができる。
【０００８】
また、使用者は使いたい差込口或いはＵＳＢ差込口の電源をオンにするだけでよく、その他の差込口に接続されている待機状態の電気機器に無駄な電流が流れることがない。
【０００９】
更に、使用していない差込口或いはＵＳＢ差込口の電源を個別にオフにできることで、安全面の配慮もされている。
【図面の簡単な説明】
【００１０】
【図１】本考案の個別スイッチ付ユニバーサルシリアルバス対応テーブルタップの構造を示す説明図である。
【図２】本考案の個別スイッチ付ユニバーサルシリアルバス対応テーブルタップの接続関係を示す説明図である。
【図３】本考案実施例の個別スイッチ付ユニバーサルシリアルバス対応テーブルタップの構造を示す説明図である。
【考案を実施するための形態】
【００１１】
以下、本考案の実施例を図面に基づいて説明する。
【００１２】
図１は、本考案の個別スイッチ付ユニバーサルシリアルバス対応テーブルタップの構造を示す説明図であり、図２は、本考案の接続関係を示す説明図である。本考案の個別スイッチ付ユニバーサルシリアルバス対応テーブルタップは、ケース１０、少なくとも１つの差込口２０、スイッチ３０、少なくとも１つのＵＳＢ差込口４０、及びＵＳＢ用スイッチ５０を備える。本実施例では、コンセント１１は、ケース１０に枢動可能に設けられ、差込口２０及びスイッチ３０は、ケース１０上に設置される。差込口２０は、スイッチ３０を経由してコンセント１１と電気的に接続され、スイッチ３０は、差込口２０の電流のオンオフを制御する。
【００１３】
ＵＳＢ差込口４０及びＵＳＢ用スイッチ５０も同様にケース１０上に設置される。ＵＳＢ用スイッチ５０の一端は、交流電源を直流電源に変換する変換部６０を経由してＵＳＢ差込口４０と電気的に接続することで、ＵＳＢ差込口４０に直流電源を供給する。ＵＳＢ用スイッチ５０の他端は、コンセント１１と電気的に接続され、ＵＳＢ用スイッチ５０は、ＵＳＢ差込口４０の電流のオンオフを制御する。
【００１４】
図３は、本考案の別の実施例の構造を示す説明図である。本実施例では、ケース１０は、延長ケーブル８０を通してコンセント１１と接続されている。また、上述の個別スイッチ付ユニバーサルシリアルバス対応テーブルタップ本来の設計に、更に安全装置７０が備えられている。安全装置７０は、ケース１０上に設置され、スイッチ３０及びＵＳＢ用スイッチ５０は、安全装置７０を経由してコンセント１１と電気的に接続される。電流が個別スイッチ付ユニバーサルシリアルバス対応テーブルタップの抵抗電流の上限を超えた場合、安全装置７０は自動的に電流を切断し、電力過多による火災の危険性を回避する。
【００１５】
また、本実施例では、スイッチ１１内に第一ランプ３１を設置し、更にスイッチ１１の外殻を透明にすることで、第一ランプ３１の点灯及び消滅により、スイッチ１１の電源のオンオフを判断することが可能である。同様に、第二ランプ５１をＵＳＢ用スイッチ５０内に設置し更にＵＳＢ用スイッチ５０の外殻を透明にすることで、第二ランプ５１の点灯及び消滅によりＵＳＢ用スイッチ５０の電源のオンオフを判断することができる。
【００１６】
差込口２０上には、それぞれの差込口２０に対応する第一カバー２１、及び第一カバー２１の開閉を制御する第一ラッチ２１１が設置される。同様に、ＵＳＢ差込口４０上には、それぞれのＵＳＢ差込口４０に対応する第二カバー４１、及び第二カバー４１の開閉を制御する第二ラッチ４１１が設置される。差込口２０及びＵＳＢ差込口４０を使用しない場合は、第一ラッチ２１１及び第二ラッチ４１１を利用して第一カバー２１及び第二カバー４１が閉じることで、埃が差込口２０及びＵＳＢ差込口４０の差込穴に入り込むのを防ぎ、また、子どもが差込穴にいたずらをして感電する事故を防ぐことができる。
【００１７】
また、本実施例では、差込口２０は複数個あり、それぞれの差込口２０の間には、アダプターを接続するのに足りる長さの間隔を確保してあるので、使用者がアダプターを差込口２０に接続したときに隣の差込口の使用に影響するのを防ぐことができる。
【００１８】
本考案は、スイッチ３０及びＵＳＢ用スイッチ５０を個別に設置することで、差込口２０及びＵＳＢ差込口４０の電源のオンオフを独立して行うことが可能であり、使用者は使用したい差込口２０或いはＵＳＢ差込口４０の電源をオンにするだけでよく、必要のない差込口２０及びＵＳＢ差込口４０に接続されている待機状態の電気機器に無駄な電力が流れることがなく、また、使用しない差込口２０及びＵＳＢ差込口４０の電源をオフにすることで、安全面の考慮もされている。
【産業上の利用可能性】
【００１９】
本考案の個別スイッチ付ユニバーサルシリアルバス対応テーブルタップは、スイッチ及びＵＳＢ用スイッチを個別に設置することで、差込口及びＵＳＢ差込口の電源を個別に制御することができ、電子機器に電源を供給するためのテーブルタップ等として有用である。
【符号の説明】
【００２０】
１０  ケース
２０  差込口
２１  第一カバー
２１１  第一ラッチ
３０  プラグスイッチ
４０  ＵＳＢ差込口
４１  第二カバー
４１１  第二ラッチ
５０  ＵＳＢ用スイッチ
６０  変換部
７０  安全装置
【図１】
0003166580.tif 000003
【図２】
0003166580.tif 000004
【図３】
0003166580.tif 000005